(57)【要約】【課題】２つの基準電圧の関係を維持する。【解決手段】抵抗Ｒ１，Ｒ２による抵抗分割で、基準電圧を発生する。この基準電圧Ｖｒｅｆをバッファアンプ１０で安定化する。バッファアンプ１０の出力Ｖｒｅｆを一端に受け他端に第１定電流源１２が接続された第１抵抗Ｒ３と、バッファアンプ１０の出力Ｖｒｅｆを一端に受け他端に第２定電流源１４が接続された第２抵抗Ｒ４を設ける。第１抵抗Ｒ３と第１定電流源１２の中間点から第１基準電圧ＡＣＬＶｒｅｆを出力し、第２抵抗Ｒ４と第２定電流源１４の中間点から第２基準電圧ＡＢＬＶｒｅｆを出力する。【選択図】図１
2009088696.tif 000002
【特許請求の範囲】
【請求項１】
抵抗分割による基準電圧を発生する抵抗分割回路と、
抵抗分割回路により発生した前記基準電圧を安定化するバッファアンプと、
バッファアンプの出力を一端に受け他端に第１定電流源が接続された第１抵抗と、
バッファアンプの出力を一端に受け他端に第２定電流源が接続された第２抵抗と、
を含み、
前記第１抵抗と第１定電流源の中間点から第１基準電圧を出力する第１出力と、
前記第２抵抗と第２定電流源の中間点から第２基準電圧を出力する第２出力と、
を含み、
前記第２定電流源は、その定電流値が変更可能であることを特徴とする基準電圧発生回路。
【請求項２】
請求項１に記載の基準電圧発生回路において、
前記第１出力からの第１基準電圧をオートコントラスト調整を行い、
前記第２出力からの第２基準電圧をオートブライトネス調整を行う、ことを特徴とする基準電圧発生回路。
【発明の詳細な説明】
【技術分野】
【０００１】
本発明は、２つの基準電圧を発生する基準電圧発生回路に関する。
【背景技術】
【０００２】
従来より、テレビ画面の表示の設定に、ブライトネスコントロールと、コントラストコントロールがある。通常、ブライトネスコントロールは、輝度信号に対応するＤＣレベルの調整であり、コントラストコントロールは、輝度信号に対応するダイナミックレンジの調整である。
【０００３】
このようなブライトネスコントロール、コントラストコントロールには、オートブライトネスリミッタと、オートコントラストリミッタがある。これらオートコントロールにより、画面が明るすぎた場合に、これに追従してブライトネスや、コントラストが自動的に下げられる。
【０００４】
【特許文献１】特開平０８−２３７５７２号公報
【発明の開示】
【発明が解決しようとする課題】
【０００５】
ここで、これらオートブライトネスリミッタと、オートコントラストリミッタは、画面の明るさ調整という点で同一の調整であるが、別々の回路として動作している。このため、これらオートコントロールの動作の中心点を決定する場合に、それぞれの回路の微調整が必要となる。
【課題を解決するための手段】
【０００６】
本発明は、抵抗分割による基準電圧を発生する抵抗分割回路と、抵抗分割回路により発生した前記基準電圧を安定化するバッファアンプと、バッファアンプの出力を一端に受け他端に第１定電流源が接続された第１抵抗と、バッファアンプの出力を一端に受け他端に第２定電流源が接続された第２抵抗と、を含み、前記第１抵抗と第１定電流源の中間点から第１基準電圧を出力する第１出力と、前記第２抵抗と第２定電流源の中間点から第２基準電圧を出力する第２出力と、を含み、前記第２定電流源は、その定電流値が変更可能であることを特徴とする。
【０００７】
また、前記第１出力からの第１基準電圧をオートコントラスト調整を行い、前記第２出力からの第２基準電圧をオートブライトネス調整を行う、ことが好適である。
【発明の効果】
【０００８】
本発明によれば、１つの基準電圧から、第１および第２基準電圧を発生するため、両者の関係を一定に維持することが容易になる。
【発明を実施するための最良の形態】
【０００９】
以下、本発明の実施形態について、図面に基づいて説明する。
【００１０】
図１は、実施形態に係る基準電圧発生回路の構成を示す図である。電源Ｖｄｄとグランドの間には、分割抵抗Ｒ１，Ｒ２の直列接続が配置されている。従って、分割抵抗Ｒ１，Ｒ２の接続点から分割抵抗Ｒ１，Ｒ２の抵抗値に応じて抵抗分割された基準電圧Ｖｒｅｆが出力される。
【００１１】
この抵抗分割で得られた基準電圧は、出力端が負入力端に短絡されたバッファアンプ１０の正入力端に供給される。従って、バッファアンプ１０の出力には、安定化された基準電圧Ｖｒｅｆが得られる。
【００１２】
バッファアンプ１０の出力には、抵抗Ｒ３の一端が接続され、この抵抗Ｒ３の他端は、定電流源１２を介し、グランドに接続されている。そして、抵抗Ｒ３の他端と、定電流源１２の接続点が基準電圧ＡＣＬＶｒｅｆが出力される。定電流源１２の定電流がＩ１であれば、ＡＣＬＶｒｅｆ＝Ｖｒｅｆ−Ｒ３＊Ｉ１となる。
【００１３】
また、バッファアンプ１０の出力には、抵抗Ｒ４の一端が接続され、この抵抗Ｒ４の他端は、定電流源１４を介し、グランドに接続されている。そして、抵抗Ｒ４の他端と、定電流源１４の接続点が基準電圧ＡＢＬＶｒｅｆが出力される。定電流源１４の定電流がＩ２であれば、ＡＢＬＶｒｅｆ＝Ｖｒｅｆ−Ｒ４＊Ｉ２となる。ここで、定電流源１４は、その定電流量が可変であり、電圧ＡＢＬＴＨによって決定される。電圧ＡＢＬＴＨは、０−７の８段階の値を示し、定電流源１４は、この電圧ＡＢＬＴＨの値に応じて、８段階の電流値を流す。従って、基準電圧ＡＢＬＶｒｅｆは、ＡＢＬＴＨの値に応じて８段階の電圧値を示す。
【００１４】
そして、定電流源１２，１４のＩ１，Ｉ２を同じ特性を定電流に基づいて、決定することによって、電流Ｉ１，Ｉ２の電源依存性を同じにできる。例えば、定電流源１２，１４を１つのカレントミラー入力側トランジスタに対し、ベースが共通接続されカレントミラー出力側トランジスタとして構成することができる。定電流源１４は、電流量Ｉ２ｍａｘ／８，２＊Ｉ２ｍａｘ／８，４＊Ｉ２ｍａｘ／８のカレントミラー出力側トランジスタで構成し、この３つのトランジスタのオンオフの制御によって、０〜Ｉ２ｍａｘの８段階の電流を発生し、この電流をＡＢＬＴＨ＝０のときの電流に加算するように制御すればよい。
【００１５】
図２には、ＡＣＬ回路の構成が示されている。ＡＣＬＶｒｅｆは、ＰＮＰトランジスタＱ１１のベースに供給される。このトランジスタＱ１１のコレクタは、グランドに接続され、エミッタは、定電流源１６を介し電源Ｖｄｄに接続されている。定電流源１６とトランジスタＱ１１のエミッタの接続点には、抵抗Ｒ５の一端が接続されている。抵抗Ｒ５の他端は、ＰＮＰトランジスタＱ１２のエミッタに接続されている。このトランジスタＱ１２のベースには、調整電圧ＡＢＬＤＣが供給されている。この調整電圧ＡＢＬＤＣは、画面表示が明るすぎた場合に、その電圧値が下がるように設定されている。
【００１６】
トランジスタＱ１２のコレクタはコレクタベース間が短絡されたＮＰＮトランジスタＱ１３のコレクタに接続され、このトランジスタＱ１３のエミッタはグランドに接続されている。そして、トランジスタＱ１３のベースには、エミッタがグランドに接続されたＮＰＮトランジスタＱ１４のベースが接続されている。従って、トランジスタＱ１３，Ｑ１４は、カレントミラーを構成する。そして、トランジスタＱ１４に流れる電流がＡＣＬ電流となる。
【００１７】
ＡＣＬＶｒｅｆは、トランジスタＱ１１がオンする電圧に設定されており、ＡＢＬＤＣが高電圧でトランジスタＱ１２がオフであれば、定電流源１６に流れる電流の全てが、トランジスタＱ１１に流れる。従って、トランジスタＱ１４に流れるＡＣＬ電流は０である。ここで、ＡＢＬＤＣが所定値以下になると、トランジスタＱ１２に電流が流れ始め、このトランジスタＱ１２に流れる電流がトランジスタＱ１３，Ｑ１４に流れ、ＡＣＬ電流となる。なお、このＡＣＬ電流分は、トランジスタＱ１１に流れる電流が減少する。このように、ＡＣＬ電流は、ＡＢＬＤＣに応じて変化することになる。
【００１８】
図３には、ＡＢＬ回路の構成が示されている。ＡＢＬＶｒｅｆは、ＰＮＰトランジスタＱ１５のベースに供給される。このトランジスタＱ１５のコレクタは、グランドに接続され、エミッタは、抵抗Ｒ６、定電流源１６を介し電源Ｖｄｄに接続されている。定電流源１６と抵抗Ｒ６の接続点には、抵抗Ｒ７を介し、ＰＮＰトランジスタＱ１６のエミッタに接続されている。このトランジスタＱ１６のベースには、調整電圧ＡＢＬＤＣが供給されている。この調整電圧ＡＢＬＤＣは、上述のように、画面表示が明るすぎた場合に、その電圧値が下がるように設定されている。
【００１９】
トランジスタＱ１６のコレクタはコレクタベース間が短絡されたＮＰＮトランジスタＱ１７のコレクタに接続され、このトランジスタＱ１７のエミッタはグランドに接続されている。そして、トランジスタＱ１７のベースには、エミッタがグランドに接続されたＮＰＮトランジスタＱ１８のベースが接続されている。従って、トランジスタＱ１７，Ｑ１８は、カレントミラーを構成する。そして、トランジスタＱ１８に流れる電流がＡＢＬ電流となる。
【００２０】
ＡＢＬＶｒｅｆは、トランジスタＱ１５がオンする電圧に設定されており、ＡＢＬＤＣが高電圧でトランジスタＱ１６がオフであれば、定電流源１６に流れる電流の全てが、トランジスタＱ１５に流れる。従って、トランジスタＱ１８に流れるＡＢＬ電流は０である。ここで、ＡＢＬＤＣが所定値以下になると、トランジスタＱ１６に電流が流れ始め、このトランジスタＱ１６に流れる電流がトランジスタＱ１７，Ｑ１８に流れ、ＡＢＬ電流となる。なお、このＡＢＬ電流分は、トランジスタＱ１５に流れる電流が減少する。このように、ＡＢＬ電流は、ＡＢＬＤＣに応じて変化することになる。
【００２１】
図４には、調整電圧ＡＢＬＤＣと、ＡＣＬ電流、ＡＢＬ電流の関係が示されている。ＡＣＬ電流は、図において点線で示されるように、調整電圧ＡＢＬＤＣがＡＣＬＶｒｅｆと同一である場合に、抵抗Ｒ５での電圧降下を考慮して定電流源１６の下側電圧に応じた電流（ＡＣＬ電流）がトランジスタＱ１１，Ｑ１２に流れる。そして、ＡＣＬ電流は、この時の電流を基準として、ＡＢＬＤＣが高くなると電流量が減少し、ＡＢＬＤＣが低くなると増加する。
【００２２】
また、ＡＢＬ電流は、調整電圧ＡＢＬＤＣがＡＣＬＶｒｅｆと同一である場合に、抵抗Ｒ６，Ｒ７での電圧降下を考慮して定電流源１６の下側電圧に応じた電流（ＡＣＬ電流）がトランジスタＱ１５，Ｑ１６に流れる。そして、ＡＢＬ電流は、この時の電流を基準として、ＡＢＬＤＣが高くなると電流量が減少し、ＡＢＬＤＣが低くなると増加する。
【００２３】
ここで、電圧ＡＢＬＴＨが変わると、ＡＢＬＶｒｅｆが変化する。そこで、ＡＢＬＤＣとＡＢＬ電流の関係が変化する。すなわち、図４において実線で示したようにＡＢＬ電流については、複数の特性があり、ＡＢＬＴＨによって、ＡＢＬＤＣに対するＡＢＬ電流が平行移動する。ＡＢＬＶｒｅｆが低くなれば、それだけＡＢＬＤＣが低くなった点以下でＡＢＬ電流が流れることになる。
【００２４】
このように、本実施形態によれば、１つの基準電圧Ｖｒｅｆから、２つの基準電圧ＡＣＬＶｒｅｆ、ＡＢＬＶｒｅｆを発生する。従って、抵抗Ｒ３，Ｒ４によって、ＡＣＬＶｒｅｆ，ＡＢＬＶｒｅｆの関係を設定すれば、ＡＢＬＴＨが変化しても両者に対する影響は同一であり、両者の関係の補正は必要ない。例えば、ＡＢＬＴＨ＝４の時にＩ１＝Ｉ２となるように、抵抗Ｒ３，Ｒ４などの関係を設定しておけば、ＡＢＬＴＨが変化しても、この関係を維持したＡＢＬＣに対するＡＣＬ電流、ＡＢＬ電流を得ることができる。もし、実測したときに、設定値に対し、ＡＢＬ電流や、ＡＣＬ電流がずれた場合にも、基準電圧Ｖｒｅｆを調整すればよい。
【図面の簡単な説明】
【００２５】
【図１】基準電圧ＡＣＬＶｒｅｆ，ＡＢＬＶｒｅｆ発生の回路を示す図である。
【図２】ＡＣＬ回路を示す図である。
【図３】ＡＢＬ回路を示す図である。
【図４】ＡＢＬＤＣと、ＡＣＬ電流、ＡＢＬ電流の関係を示す図である。
【符号の説明】
【００２６】
１０  バッファアンプ、１２  定電流源、１２，１４，１６  定電流源、Ｑ１１〜Ｑ１８  トランジスタ、Ｒ１〜Ｒ７  抵抗。
【図１】
2009088696.tif 000003
【図２】
2009088696.tif 000004
【図３】
2009088696.tif 000005
【図４】
2009088696.tif 000006